(57)【要約】【課題】捺印忘れや暗証番号等の記入忘れ等を抑制できる帳票、帳票の加工システムを提供する。【解決手段】帳票１０は、複数の紙片が重ね合わせて形成された複写式の帳票であって、上層側から２枚目以降の下層側に積層され、使用者が直接記入又は捺印する捺印欄１１ｅ，１２ｅを有する紙片１１，１２を備え、紙片１１，１２よりも上層側の紙片１２，１３は、捺印欄１１ｅ，１２ｅに対応した大きさの孔である孔部１２ｆ，１３ｆを有する。【選択図】図１
2014218045.tif 000002
【特許請求の範囲】
【請求項１】
複数の紙片が重ね合わせて形成された複写式の帳票であって、
上層側から２枚目以降の下層側に積層され、使用者が直接記入又は捺印する欄部を有する欄部紙片を備え、
前記欄部紙片よりも上層側の紙片は、前記欄部に対応した大きさの孔である上孔部を有すること、
を特徴とする帳票。
【請求項２】
請求項１に記載の帳票において、
前記複数の紙片は、ノーカーボン紙のうち中用紙、セルフ紙の１つであり、
同一の材質の紙片のみを重ね合わせて形成されていること、
を特徴とする帳票。
【請求項３】
請求項１に記載の帳票において、
前記複数の紙片は、ノーカーボン紙のうち発色剤層を有する上用紙であり、
同一の材質の紙片のみを重ね合わせて形成され、
下層側の前記紙片の一部の領域に、顕色剤が印刷された顕色剤層を備えること、
を特徴とする帳票。
【請求項４】
請求項１に記載の帳票において、
前記複数の紙片は、ノーカーボン紙のうち顕色剤層を有する下用紙であり、
同一の材質の紙片のみを重ね合わせて形成され、
下層側の前記紙片の一部の領域に、発色剤が印刷された発色剤層を備えること、
を特徴とする帳票。
【請求項５】
請求項１から請求項４のいずれかに記載の帳票において、
前記各欄部を有する複数の前記欄部紙片を備え、
この帳票を上層側から見たときに、
複数の前記欄部紙片の欄部は、連設して配置されており、
前記上孔部は、前記各欄部紙片の前記各欄部に対応した連続したものであること、
を特徴とする帳票。
【請求項６】
請求項１から請求項５のいずれかに記載の帳票において、
前記欄部紙片の下層側の紙片は、
前記欄部に対応した大きさの孔である下孔部を有すること、
を特徴とする帳票。
【請求項７】
請求項２に記載の帳票を製造し、送り方向に送られる連続用紙に対して単位紙片毎に加工する加工システムであって、
前記連続用紙は、ノーカーボン紙のうち中用紙、セルフ紙の１つが連続したものであり、
前記単位紙片毎に、レーザ加工情報を記憶するレーザ加工情報記憶部と、
前記レーザ加工情報記憶部の前記レーザ加工情報に基づいて、レーザ加工部を制御して、前記上孔部をレーザ加工するレーザ加工制御部を備えること、
を特徴とする帳票の加工システム。
【請求項８】
請求項３に記載の帳票を製造し、送り方向に送られる連続用紙に対して単位紙片毎に加工する加工システムであって、
前記連続用紙は、ノーカーボン紙のうち発色剤層を有する上用紙が連続したものであり、
前記単位紙片毎に、レーザ加工情報を記憶するレーザ加工情報記憶部と、
前記レーザ加工情報記憶部の前記レーザ加工情報に基づいて、レーザ加工部を制御して、前記上孔部をレーザ加工するレーザ加工制御部を備えること、
を特徴とする帳票の加工システム。
【請求項９】
請求項４に記載の帳票を製造し、送り方向に送られる連続用紙に対して単位紙片毎に加工する加工システムであって、
前記連続用紙は、ノーカーボン紙のうち顕色剤層を有する下用紙が連続したものであり、
前記単位紙片毎に、レーザ加工情報を記憶するレーザ加工情報記憶部と、
前記レーザ加工情報記憶部の前記レーザ加工情報に基づいて、レーザ加工部を制御して、前記上孔部をレーザ加工するレーザ加工制御部を備えること、
を特徴とする帳票の加工システム。
【請求項１０】
請求項７から請求項９のいずれかに記載の帳票の加工システムにおいて、
前記欄部紙片の下層側の紙片は、前記欄部に対応した大きさの孔である下孔部を有し、
前記レーザ加工制御部は、前記レーザ加工情報記憶部の前記レーザ加工情報に基づいて、レーザ加工部を制御して、前記下孔部をレーザ加工すること、
を特徴とする帳票の加工システム。
【請求項１１】
請求項７から請求項１０のいずれかに記載の帳票の加工システムにおいて、
前記連続用紙に対して、接着層を形成する接着加工部と、
前記単位紙片毎に、接着情報を記憶する接着情報記憶部と、
前記接着情報記憶部の前記接着情報に基づいて、前記接着加工部を制御して、前記単位紙片毎に接着層を形成する接着加工制御部とを備えること、
を特徴とする帳票の加工システム。
【請求項１２】
請求項１１に記載の帳票の加工システムにおいて、
前記連続用紙を各紙片に切断する切断加工部と、
前記切断加工部が切断した前記各紙片を順次積層する積層部とを備えること、
を特徴とする帳票の加工システム。
【請求項１３】
請求項７から請求項１２のいずれかに記載の帳票の加工システムにおいて、
前記連続用紙に対して、情報を印刷する印刷部と、
前記単位紙片毎に、印刷情報を記憶する印刷情報記憶部と、
前記印刷情報記憶部の前記印刷情報に基づいて、前記印刷部を制御して、前記単位紙片毎に印刷する印刷制御部とを備えること、
を特徴とする帳票の加工システム。
【請求項１４】
請求項１３に記載の帳票の加工システムにおいて、
前記印刷部は、前記各加工部よりも送り方向上流側に配置されており、
前記印刷情報記憶部は、前記各加工部の加工位置に関するマークの印刷情報を記憶し、
前記印刷制御部は、前記印刷情報記憶部の印刷情報に基づいて、前記マークを印刷すること、
を特徴とする帳票の加工システム。
【発明の詳細な説明】
【技術分野】
【０００１】
本発明は、ノーカーボン式の複写紙片を備える帳票、帳票の加工システムに関するものである。
【背景技術】
【０００２】
従来、ノーカーボンインクを利用した複写伝票には、捺印欄等を備えるものがあった（例えば特許文献１）。
しかし、従来の複写伝票は、捺印欄等が２枚目以降に設けられている場合には、使用者が捺印欄等を見落としたりして、捺印等を忘れてしまう場合が少なくなかった。
【先行技術文献】
【特許文献】
【０００３】
【特許文献１】特開平１１−１５７２５７号公報
【発明の概要】
【発明が解決しようとする課題】
【０００４】
本発明の課題は、捺印忘れや暗証番号等の記入忘れ等を抑制できる帳票、帳票の加工システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、複数の紙片が重ね合わせて形成された複写式の帳票であって、上層側から２枚目以降の下層側に積層され、使用者が直接記入又は捺印する欄部（１１ｅ，１２ｅ，２１ｅ，２１ｅ−２，２１ｅ−３，２１１ｅ−１，２１１ｅ−２，２１１ｅ−３，２１２ｅ−１，２１２ｅ−２，２１２ｅ−３，３１２ｅ）を有する欄部紙片（１１，１２，２１，２１−２，２１−３，２１１−１，２１１−２，２１１−３，２１２−１，２１２−２，２１２−３，３１２）を備え、前記欄部紙片よりも上層側の紙片は、前記欄部に対応した大きさの孔である上孔部（１２ｆ，１３ｆ，２２ｆ−２，２２ｆ−３，２３ｆ，２３ｆ−２，２３ｆ−３，２１２ｆ−１，２１２ｆ−２，２１２ｆ−３，２１３ｆ−１，２１３ｆ−２，２１３ｆ−３，３１３ｆ）を有すること、を特徴とする帳票（１０，２０，２０−２，２０−３，２１０−１，２１０−２，２１０−３，３１０）である。
・第２の発明は、第１の発明の帳票において、前記複数の紙片は、ノーカーボン紙のうち中用紙（１１，１２，１３，２１，２１−２，２２−２，２３，２３−２，３１１，３１２，３１３）、セルフ紙（２１１−１，２１２−１，２１３−１）の１つであり、同一の材質の紙片のみを重ね合わせて形成されていること、を特徴とする帳票（１０，２０，２０−２，３１０，２１０−１）である。
・第３の発明は、第１の発明の帳票において、前記複数の紙片は、ノーカーボン紙のうち発色剤層を有する上用紙（２１１−２，２１２−２，２１３−２）であり、同一の材質の紙片のみを重ね合わせて形成され、下層側の前記紙片の一部の領域に、顕色剤が印刷された顕色剤層（２１１ｃ−２，２１２ｃ−２）を備えること、を特徴とする帳票（２１０−２）である。
・第４の発明は、第１の発明の帳票において、前記複数の紙片は、ノーカーボン紙のうち顕色剤層を有する下用紙（２１１−３，２１２−３，２１３−３）であり、同一の材質の紙片のみを重ね合わせて形成され、下層側の前記紙片の一部の領域に、発色剤が印刷された発色剤層（２１２ｂ−３，２１３ｂ−３）を備えること、を特徴とする帳票（２１０−３）である。
・第５の発明は、第１から第４のいずれかの発明の帳票において、前記各欄部（１１ｅ，１２ｅ，２１１ｅ−１，２１１ｅ−２，２１１ｅ−３，２１２ｅ−１，２１２ｅ−２，２１２ｅ−３）を有する複数の前記欄部紙片（１１，１２，２１１−１，２１１−２，２１１−３，２１２−１，２１２−２，２１２−３）を備え、この帳票を上層側から見たときに、複数の前記欄部紙片の欄部は、連設して配置されており、前記上孔部（１２ｆ，１３ｆ，２１２ｆ−１，２１２ｆ−２，２１２ｆ−３，２１３ｆ−１，２１３ｆ−２，２１３ｆ−３）は、前記各欄部紙片の前記各欄部に対応した連続したものであること、を特徴とする帳票（１０，２１０−１，２１０−２，２１０−３）である。
・第６の発明は、第１から第５のいずれかの発明の帳票において、前記欄部紙片（３１２）の下層側の紙片（３１１）は、前記欄部に対応した大きさの孔である下孔部（３１１ｆ）を有すること、を特徴とする帳票（３１０）である。
【０００７】
・第７の発明は、第２の発明の帳票を製造し、送り方向に送られる連続用紙に対して単位紙片毎に加工する加工システムであって、前記連続用紙（Ｗ）は、ノーカーボン紙のうち中用紙、セルフ紙の１つが連続したものであり、前記単位紙片毎に、レーザ加工情報を記憶するレーザ加工情報記憶部（５３ｄ）と、前記レーザ加工情報記憶部の前記レーザ加工情報に基づいて、レーザ加工部（５３ｃ）を制御して、前記上孔部をレーザ加工するレーザ加工制御部（５３ｅ）を備えること、を特徴とする帳票の加工システム（５０）である。
・第８の発明は、第３の発明の帳票を製造し、送り方向に送られる連続用紙に対して単位紙片毎に加工する加工システムであって、前記連続用紙（Ｗ）は、ノーカーボン紙のうち発色剤層を有する上用紙が連続したものであり、前記単位紙片毎に、レーザ加工情報を記憶するレーザ加工情報記憶部（５３ｄ）と、前記レーザ加工情報記憶部の前記レーザ加工情報に基づいて、レーザ加工部（５３ｃ）を制御して、前記上孔部をレーザ加工するレーザ加工制御部（５３ｅ）を備えること、を特徴とする帳票の加工システムである。
・第９の発明は、第４の発明の帳票を製造し、送り方向に送られる連続用紙に対して単位紙片毎に加工する加工システムであって、前記連続用紙（Ｗ）は、ノーカーボン紙のうち顕色剤層を有する下用紙が連続したものであり、前記単位紙片毎に、レーザ加工情報を記憶するレーザ加工情報記憶部（５３ｄ）と、前記レーザ加工情報記憶部の前記レーザ加工情報に基づいて、レーザ加工部（５３ｃ）を制御して、前記上孔部をレーザ加工するレーザ加工制御部（５３ｅ）を備えること、を特徴とする帳票の加工システムである。
・第１０の発明は、第７から第９のいずれかの発明の帳票の加工システムにおいて、前記欄部紙片（３１２）の下層側の紙片（３１１）は、前記欄部に対応した大きさの孔である下孔部（３１１ｆ）を有し、前記レーザ加工制御部（５３ｅ）は、前記レーザ加工情報記憶部（５３ｄ）の前記レーザ加工情報に基づいて、レーザ加工部（５３ｃ）を制御して、前記下孔部をレーザ加工すること、を特徴とする帳票の加工システムである。
・第１１の発明は、第７から第１０のいずれかの発明の帳票の加工システムにおいて、前記連続用紙に対して、接着層を形成する接着加工部（５４ｂ，５４ｃ）と、前記単位紙片毎に、接着情報を記憶する接着情報記憶部（５４ｄ）と、前記接着情報記憶部の前記接着情報に基づいて、前記接着加工部を制御して、前記単位紙片毎に接着層を形成する接着加工制御部（５４ｅ）とを備えること、を特徴とする帳票の加工システムである。
・第１２の発明は、第１１の発明の帳票の加工システムにおいて、前記連続用紙を各紙片に切断する切断加工部（５５ｂ）と、前記切断加工部が切断した前記各紙片を順次積層する積層部（５６）とを備えること、を特徴とする帳票の加工システムである。
・第１３の発明は、第７から第１２のいずれかの発明の帳票の加工システムにおいて、前記連続用紙に対して、情報を印刷する印刷部（５１ｃ）と、前記単位紙片毎に、印刷情報を記憶する印刷情報記憶部（５１ｄ）と、前記印刷情報記憶部の前記印刷情報に基づいて、前記印刷部を制御して、前記単位紙片毎に印刷する印刷制御部（５１ｅ）とを備えること、を特徴とする帳票の加工システムである。
・第１４の発明は、第１３の発明の帳票の加工システムにおいて、前記印刷部（５１ｃ）は、前記各加工部よりも送り方向上流側に配置されており、前記印刷情報記憶部（５１ｄ）は、前記各加工部の加工位置に関するマーク（Ｍ）の印刷情報を記憶し、前記印刷制御部（５１ｅ）は、前記印刷情報記憶部の印刷情報に基づいて、前記マークを印刷すること、を特徴とする帳票の加工システムである。
【発明の効果】
【０００８】
本発明によれば、捺印忘れや暗証番号等の記入忘れ等を抑制できる帳票、帳票の加工システムを提供できる。
【図面の簡単な説明】
【０００９】
【図１】第１実施形態の帳票１０を示す図である。
【図２】第１実施形態のその他の形態の帳票２０，２０−２，２０−３を示す図である。
【図３】第１実施形態の加工システム５０の構成を説明する図である。
【図４】第１実施形態の各印刷情報のマークＭの有無を示すテーブルである。
【図５】第１実施形態の加工用紙Ｗを説明する図である。
【図６】第２実施形態の帳票２１０−１，２１０−２，２１０−３の断面図である。
【図７】第３実施形態の帳票３１０を示す図である。
【発明を実施するための形態】
【００１０】
（第１実施形態）
以下、図面等を参照して、本発明の第１実施形態について説明する。
（帳票１０の構成）
図１は、第１実施形態の帳票１０を示す図である。
図１（Ａ）は、帳票１０の上面を法線方向（上層側）から見た図である。
図１（Ｂ）は、図１（Ａ）のｂ−ｂ部断面図である。
図１（Ｃ）は、図１（Ａ）のｃ−ｃ部断面図である。
なお、実施形態では、便宜上、図１に示す状態を基準に、左右方向Ｘ、縦方向Ｙ、鉛直方向Ｚ（厚さ方向）として説明するが、各方向は、その配置に応じて、適宜定めることができる。例えば、鉛直方向Ｚは、帳票１０の表裏を図１の状態とは反転して配置した場合には、図１の下側Ｚ１が上側となり、図１の上側Ｚ２が下側となる。また、図中、鉛直方向Ｚ等の構成は、構成を明確にするために、誇張して図示する。
【００１１】
図１に示すように、帳票１０は、配送伝票、各種口座申し込み伝票等に利用される冊子状の複写帳票である。図１は、生命保険の申し込み用紙の例である。
帳票１０は、下紙片１１、中紙片１２、上紙片１３の３層が、下側Ｚ１から順に積層されて構成されている。つまり、上層側から２枚目以降の下層側には、中紙片１２（欄部紙片）、下紙片１１（欄部紙片）が積層されている。
下紙片１１、中紙片１２、上紙片１３は、全て同一の材質である。
下紙片１１、中紙片１２、上紙片１３は、通常は、ノーカーボン紙を利用した複写伝票の中用紙（ミドル紙）として利用されるものである。つまり、帳票１０は、同一の材質である中用紙のみが重ね合わされ、積層されて形成されている。各層間の左縁部には、縦方向Ｙに延在する帯状の強接着層１５，１６が設けられている。これにより、帳票１０は、冊子状に形成される。
各紙片１１，１２，１３は、紙基材１１ａ，１２ａ，１３ａの下面全面に発色剤層１１ｂ，１２ｂ，１３ｂが積層され、上面全面に顕色剤層１１ｃ，１２ｃ，１３ｃが積層されている。
【００１２】
また、各紙片１１，１２，１３には、それぞれ、複写欄１１ｄ，１２ｄ、情報記入欄１３ｄの枠線、捺印欄１１ｅ，１２ｅ，１３ｅの枠線や、文字、図形等と、マークＭ（Ｍ５３，Ｍ５４ｂ，Ｍ５４ｃ，Ｍ５５）とが印刷されている。
これら印刷内容は、帳票の使用態様に応じて、紙片１１，１２，１３毎に異なる。
マークＭは、後述するように、加工時に利用され、紙片毎に異なっている。
【００１３】
下紙片１１は、複写欄１１ｄ、捺印欄１１ｅ（欄部）を備える。
中紙片１２は、複写欄１２ｄ、捺印欄１２ｅ（欄部）、孔部１２ｆ（上孔部）、剥離接着層１２ｇを備える。
剥離接着層１２ｇは、剥離可能な接着剤により形成される。剥離接着層１２ｇは、強接着層１６以外の周縁部に、コの字状の配置されている。
使用者（保険の申し込み希望者等）は、中紙片１２の印刷内容を確認したりする場合等には、この剥離接着層１２ｇから、上紙片１３及び中紙片１２を剥離して、これらを見開くようになっている。
上紙片１３は、情報記入欄１３ｄ、捺印欄１３ｅ、孔部１３ｆ（上孔部）を備える。
情報記入欄１３ｄは、使用者が、住所、氏名等の申し込み情報を記入する欄である。
【００１４】
帳票１０を上層側から見ると、捺印欄１１ｅ，１２ｅ，１３ｅは、左右方向Ｘに連設して配置されている。
また、孔部１３ｆは、捺印欄１１ｅ，１２ｅに対応して左右方向Ｘに連設して配置されている。中紙片１２の孔部１２ｆは、下紙片１１の捺印欄１１ｅに対応した大きさであり、上紙片１３の孔部１３ｆは、下紙片１１、中紙片１２の捺印欄１１ｅ，１２ｅの両方に対応した大きさである。
これにより、捺印欄１１ｅ，１２ｅ，１３ｅが全て露出する。このため、使用者は、帳票１０を閉じた状態で、これら全てを上層側から視認できる。
【００１５】
（帳票１０の使用方法）
伝票の使用方法について説明する。
使用者は、上紙片１３の情報記入欄１３ｄに、住所、氏名等の申し込み情報を記入する。その筆圧は、下層側の中紙片１２、下紙片１１に伝わる。これにより、申し込み情報が、下紙片１１、中紙片１２の複写欄１１ｄ，１２ｄに複写される。
使用者は、帳票１０を見開くことなく、印鑑５で、上紙片１３の捺印欄１３ｅに直接捺印し、また、孔部１３ｆを通して中紙片１２の捺印欄１２ｅに直接捺印し、さらに、孔部１２ｆ，１３ｆを通して、下紙片１１の捺印欄１１ｅに直接捺印する。
【００１６】
図１（Ａ）に示すように、使用者は、捺印したか否かは、帳票１０を上層側から見れば、一目瞭然で確認できる。これにより、帳票１０は、使用者の捺印忘れを抑制できる。
これに対して、従来の伝票では、使用者は、各紙片をめくって各紙片に捺印欄があるか否かを確認して、捺印する必要があった。このため、使用者は、捺印欄を見落としてしたりして、捺印を忘れることが少なくなかった。
【００１７】
また、捺印欄１１ｅ，１２ｅ，１３ｅが並んで配置されているので、捺印が必要な欄を容易に確認でき、捺印忘れを抑制する効果を向上できる。
さらに、帳票１０は、捺印欄１１ｅ，１２ｅよりも上層側には、複写構造が存在しないので、捺印欄１１ｅ，１２ｅが複写されてしまうことがない。これにより、複写に起因する捺印欄１１ｅ，１２ｅの汚れを抑制でき、捺印の識別のしやすさを向上できる。
【００１８】
（帳票のその他の形態）
帳票の形態は、用途、使用方法等によって、適宜設定できる。
図２は、第１実施形態のその他の形態の帳票２０，２０−２，２０−３を示す図である。
なお、帳票２０，２０−２，２０−３の説明及び図面において、前述した帳票１０と同様の機能を果たす部分には、同一の符号又は末尾に同一の符号を適宜付して、重複する説明を適宜省略する。
図２（Ａ）に示すように、帳票２０は、下紙片２１、上紙片２３の２枚構成にした。
【００１９】
図２（Ｂ）に示すように、帳票２０−２は、中紙片２２−２から捺印欄を削除した。
このため、下紙片２１−２の捺印欄２１ｅ−２に捺印するために、中紙片２２−２、上紙片２３−２に同一の形状の孔部２２ｆ−２，２３ｆ−２を設けた。
このように、帳票２０，２０−２は、帳票１０と同様に、ノーカーボン式の複写伝票の中用紙のみを積層して製造できる。
【００２０】
図２（Ｃ）に示すように、帳票２０−３は、各紙片２１−３，２２−３，２３−３を、通常の複写帳票で用いる下用紙（ボトム紙）、中用紙（ミドル紙）、上用紙（トップ紙）から構成した。捺印欄２１ｅ−３，２３ｅ−３、孔部２２ｆ−３，２３ｆ−３の形態は、帳票２０−２と同様である。なお、捺印欄、孔部は、帳票１０と同様にしてもよい。
【００２１】
以上の構成により、帳票１０，２０，２０−２は、ノーカーボン式の複写伝票の中用紙のみを積層して、製造できる。
一方、帳票２０−３は、従来の帳票の積層構成を利用して構成でき、前述した捺印忘れ抑制の効果等を有する。
また、帳票１０，２０，２０−２は、以下説明する加工システム５０を利用することにより、低コストであり、かつ、品質を向上して製造できる。
【００２２】
（加工システム５０）
図３は、第１実施形態の加工システム５０の構成を説明する図である。
図４は、第１実施形態の各印刷情報のマークＭの有無を示すテーブルである。
加工システム５０は、例えば、帳票１０，２０を製造する場合には、帳票の縦方向Ｙを送り方向Ａにし、かつ、帳票１０，２０の左右方向Ｘを奥行方向Ｂにして加工する。また、帳票１０，２０の下層側から順次加工する（図５参照）。
実施形態では、切断前の各紙片の状態を、単位紙片という。このため、加工用紙Ｗ（ワーク）は、単位紙片が切断予定線を介して送り方向Ａに連続したものである（図５参照）。加工用紙Ｗは、ノーカーボン式の複写伝票の中用紙の連続用紙である。
【００２３】
図３に示すように、加工システム５０は、加工用紙Ｗの送り方向Ａの上流側Ａ１から順に、送出ローラ５０ａ、プリンタ５１、レーザ加工装置５３、接着剤塗布装置５４、切断加工装置５５、積層部５６が、インラインで接続されている。
【００２４】
各装置（プリンタ５１、レーザ加工装置５３、接着剤塗布装置５４、切断加工装置５５）は、送り駆動用のローラ（図示せず）が複数設けられており、ローラの回転量を制御して、加工用紙Ｗの送り量を制御できるようになっている。
各装置の各記憶部５１ｄ，５３ｄ，５４ｄ（後述する）は、各装置の動作に必要なプログラム、情報等を記憶するためのハードディスク、半導体メモリ素子等の記憶装置である。また、各装置の各制御部５１ｅ，５３ｅ，５４ｅ，５５ｅ（後述する）は、それぞれ各装置を統括的に制御する制御部であり、ＣＰＵ等から構成される。
【００２５】
送出ローラ５０ａは、加工前の加工用紙Ｗが巻かれたローラであり、送り方向Ａの上流側Ａ１に設けられている。
【００２６】
プリンタ５１は、加工用紙Ｗに印刷する汎用の印刷装置であり、例えば、レーザビームプリンタ、インキジェットプリンタ等である。
プリンタ５１は、ヘッド５１ｃ（印刷部）、記憶部５１ｄ（印刷情報記憶部）、制御部５１ｅ（印刷制御部）を備える。
ヘッド５１ｃは、例えば、インキを射出したり、レーザを照射する装置であり、加工用紙Ｗに対して、文字、図形、マークＭ等の情報を、実際に印刷する装置である。
【００２７】
記憶部５１ｄは、単体紙片毎に印刷情報を記憶する。
印刷情報は、複写欄１１ｄ，１２ｄ、情報記入欄１３ｄの枠線、捺印欄１１ｅ，１２ｅ，１３ｅの枠線や、文字、図形、マークＭ等の情報である。
図４に示すように、印刷情報には、各単位紙片の各加工に対応したマークＭが含まれる。
例えば、帳票１０の中紙片１２の単位紙片１１２の印刷情報には、加工情報に対応したマークＭ５３，Ｍ５４ｂ，Ｍ５４ｃ，Ｍ５５の情報が含まれる。
マークＭは、各加工時において、加工位置の基準、加工のきっかけ（トリガー）にするためのタイミングマークである。マークＭの作用は、後述する。
制御部５１ｅは、記憶部５１ｄの印刷情報に基づいて、ヘッド５１ｃを制御して、加工用紙Ｗに単位紙片毎に印刷する。
【００２８】
レーザ加工装置５３は、加工用紙Ｗに対してレーザ加工を行う装置である。レーザ加工装置５３は、孔開加工の他に、例えば、ミシン目加工、マーキング処理、ハーフカット加工、マージナル加工等を行うことができる。
レーザ加工装置５３は、マーク検出部５３ａ、レーザ照射部５３ｃ（レーザ加工部）、記憶部５３ｄ（レーザ加工情報記憶部）、制御部５３ｅ（レーザ加工制御部）を備える。
マーク検出部５３ａは、加工用紙Ｗに印刷されたマークＭ５３を検出する光学センサである。マーク検出部５３ａは、奥行方向Ｂにおいて、マークＭ５３の印刷位置に対応した位置に配置されている。
レーザ照射部５３ｃは、加工用紙Ｗに対して、レーザ光を実際に照射して、レーザ加工するヘッドである。
レーザ照射部５３ｃは、いわゆるＸＹスキャナ等を備え、レーザ光を送り方向Ａ及び送り方向Ａに直交した方向である奥行方向Ｂに、加工用紙Ｗ上をスキャンできる。
【００２９】
記憶部５３ｄは、単体紙片毎にレーザ加工情報を記憶する。レーザ加工情報は、レーザ加工の位置、形状等の情報である。
記憶部５３ｄは、例えば、帳票１０の紙片１２，１３であれば、孔部１２ｆ，１３ｆに関する情報を記憶し、また、帳票２０の上紙片２３であれば、孔部２３ｆに関する情報を記憶する。
【００３０】
制御部５３ｅは、記憶部５３ｄのレーザ加工情報に基づいて、レーザ照射部５３ｃを制御して、単位紙片毎にレーザ加工する。
【００３１】
接着剤塗布装置５４は、加工用紙Ｗに対して、接着剤を塗布する装置である。
接着剤塗布装置５４は、マーク検出部５４ａ、強接着剤塗布部５４ｂ（接着加工部）、剥離接着剤塗布装置５４ｃ、記憶部５４ｄ（接着情報記憶部）、制御部５４ｅ（接着加工制御部）を備える。
マーク検出部５４ａは、加工用紙Ｗに印刷されたマークＭ５４ｂ，Ｍ５４ｃを検出する光学センサである。マーク検出部５４ａは、２つ設けられており、それぞれ、強接着剤塗布用のマークＭ５４ｂの検出、剥離接着剤塗布用のマークＭ５４ｃの検出に用いる。マーク検出部５４ａは、奥行方向Ｂにおいて、マークＭ５４ｂ，Ｍ５４ｃの印刷位置に対応した位置に配置されている。
強接着剤塗布部５４ｂは、強接着剤を塗布して、強接着層を形成する装置である。強接着剤塗布部５４ｂは、接着剤を塗布するためのバルブを開閉したり、リングを駆動させて、接着剤を、送り方向Ａに平行な帯状（線分状）に塗布する。
剥離接着剤塗布装置５４ｃは、弱接着剤を塗布する糊版胴及び糊版胴を駆動する駆動装置（図示せず）等を備える。剥離接着剤塗布装置５４ｃは、糊版胴を鉛直方向Ｚに駆動させて、単位紙片毎に接着剤を塗布する。
【００３２】
記憶部５４ｄは、単体紙片毎に強接着剤、剥離接着剤の塗布情報（接着情報）を記憶する。塗布情報は、各単位紙片に、強接着剤、剥離接着剤を塗布するか否かの情報である。
制御部５４ｅは、記憶部５４ｄの接着情報に基づいて、強接着剤塗布部５４ｂ（接着加工部）、剥離接着剤塗布装置５４ｃを制御して、単位紙片毎に接着層を形成する。
【００３３】
切断加工装置５５は、加工用紙Ｗを切断加工する装置である。
切断加工装置５５は、マーク検出部５５ａ、カッタ５５ｂ（切断加工部）、制御部５５ｅを備える。
マーク検出部５５ａは、加工用紙Ｗに印刷されたマークＭ５５を検出する光学センサである。マーク検出部５５ａは、奥行方向Ｂにおいて、マークＭ５５の印刷位置に対応した位置に配置されている。
カッタ５５ｂは、加工用紙Ｗを実際に切断する切断刃である。
制御部５５ｅは、カッタ５５ｂを制御して、加工用紙Ｗを、切断予定線（図５に示す切断予定線１１０ａ〜１１５ａ参照）で切断して、各紙片へと個別化する。
積層部５６は、切断加工装置５５が切断した紙片を順次積層して収容する。
【００３４】
なお、加工システム５０は、必要に応じて、構成を適宜変更可能である。加工システム５０は、例えば、マージナル孔で紙送りする場合には工程の最後にマージナルを切断するスリッタ加工装置を追加してもよいし、剥離接着剤を塗布しない場合には剥離接着剤塗布装置５４ｃ等の構成を削除してもよい。
【００３５】
次に、加工システム５０の動作について説明する。
図５は、第１実施形態の加工用紙Ｗを説明する図である。
図５は、加工用紙Ｗのうち帳票１０，２０を切断前の領域を示す。
この例では、加工用紙Ｗの１１１〜１１３枚目の単位紙片１１１〜１１３は、帳票１０の紙片１１〜１３に対応しており、１１４，１１５枚目の単位紙片１１４，１１５は、帳票２０の紙片２１，２３が対応している。
なお、加工の前提として、各装置の各記憶部５１ｄ，５３ｄ，５４ｄには、加工順に対応した加工情報が記憶されている。
例えば、プリンタ５１の記憶部５１ｄの１１１〜１１３枚目の加工情報は、帳票１０の単位紙片１１１〜１１３の印刷情報である。同様に、記憶部５１ｄの１１４，１１５枚目の加工情報は、帳票２０の単位紙片１１４，１１５の印刷情報である。
【００３６】
（印刷工程）
プリンタ５１の制御部５１ｅは、送られてくる加工用紙Ｗに対して、記憶部５１ｄの印刷情報に基づいて、ヘッド５１ｃを制御して、加工用紙Ｗに単位紙片毎に順次印刷していく。なお、図５は、マークＭ以外の図示を省略した。
制御部５１ｅは、単位紙片の印刷情報を、記憶部５１ｄから順番に読み出す。このため、制御部５１ｅは、例えば、１１１枚目の印刷であれば、単位紙片１１１の印刷情報を読み出して印刷する。
これにより、加工用紙Ｗは、記憶部５１ｄの印刷情報が、単位紙片毎に順番に印刷されていく。
【００３７】
なお、制御部５１ｅは、マークＭを、各加工装置のマーク検出部に対応した位置に印刷する。各単位紙片に印刷されるマークＭは、記憶部５１ｄの印刷情報に対応している。例えば、各単位紙片１１１〜１１５に印刷されるマークＭは、記憶部５１ｄの印刷情報に対応している（図４、図５参照）。
【００３８】
（レーザ加工工程）
レーザ加工装置５３のマーク検出部５３ａは、加工用紙Ｗに印刷されたマークＭ５３を検出する。
制御部５３ｅは、マークＭ５３の検出位置を基準にして、レーザ加工の加工位置を算出し、また、奥行方向Ｂの位置をレーザ照射部５３ｃの駆動量、送り方向Ａの位置をローラの回転量から算出する。
制御部５３ｅは、レーザ照射部５３ｃを制御して、レーザ光を加工用紙Ｗに照射する。
これにより、レーザ加工装置５３は、マークＭ５３が印刷された単位紙片のみにレーザ加工できる。なお、記憶部５３ｄの加工情報を、単位紙片毎に異なるものにすれば、単位紙片毎に異なる位置に加工できる。
【００３９】
制御部５３ｅは、マークＭ５３の検出回数に応じて、単位紙片の加工情報を、記憶部５３ｄから順番に読み出す。例えば、１１２枚目の加工では、１１２枚目に配置された単位紙片１１２の加工情報を読み出して、孔部１２ｆの加工をする。後述する各加工工程も同様である。
このため、加工システム５０は、工程が進むに従って、単位紙片毎にその紙片に対応した加工を順次行うことができる。
【００４０】
（接着剤塗布工程）
接着剤塗布装置５４のマーク検出部５４ａは、加工用紙Ｗに印刷されたマークＭ５４ｂ，Ｍ５４ｃを検出する。
接着剤塗布装置５４の制御部５４ｅは、レーザ加工装置５３の制御部５３ｅと同様に、強接着剤塗布部５４ｂ、剥離接着剤塗布装置５４ｃを制御する。つまり、制御部５４ｅは、マークＭ５４ｂ，Ｍ５４ｃの検出位置を基準にして、強接着剤塗布部５４ｂ、剥離接着剤塗布装置５４ｃを制御する。
これにより、制御部５４ｅは、マークＭ５４ｂが印刷されている単位紙片には、強接着剤を帯状に塗布でき、一方、マークＭ５４ｃが印刷されている単位紙片には、剥離用接着剤をコの字状に塗布できる。
【００４１】
以上の工程により、単位紙片１１１〜１１３、単位紙片１１４，１１５は、切断加工工程前には、図５に示す形態に加工される。
【００４２】
（切断加工工程）
切断加工装置５５のマーク検出部５５ａは、加工用紙Ｗに印刷されたマークＭ５５を検出する。
切断加工装置５５の制御部５５ｅは、レーザ加工装置５３の制御部５３ｅと同様に、カッタ５５ｂを制御する。つまり、制御部５５ｅは、ローラの回転量からカッタ５５ｂの駆動位置を算出して、加工用紙Ｗを切断予定線で切断する。
これにより、切断加工装置５５は、加工用紙Ｗを切断して、各紙片を個別化する。
なお、切断加工装置５５にも切断位置の情報を記憶する記憶部を設ければ、切断位置を異なるものにでき、紙片毎に異なる大きさに切断できる。
【００４３】
（積層工程）
積層部５６は、切断された紙片を付き揃えながら、順番に積み重ねる。強接着剤、剥離接着剤が塗布された紙片は、上側に順次紙片が重ねられることにより、重みによって、その直上の紙片に接着する。これにより、冊子状の帳票の形態になる。
以上により、加工システム５０は、冊子の複写帳票を製造できる。
なお、上記加工システム５０は、製造する帳票の形態に応じて適宜変更できる。例えば、ミシン目、孔の両方を備えた紙片を製造する場合には、複数のレーザ加工装置を設ければよい。
【００４４】
以上説明したように、加工システム５０は、以下の効果を奏する。
（１）プリント、レーザ加工、接着剤塗布、切断加工、積層加工を、インラインで行い、連続して複写帳票を製造できる。これにより、製造効率を向上して、低コストな複写帳票を製造できる。
【００４５】
（２）形態の異なる複写帳票を連続して製造できる。
すなわち、紙片の枚数、孔部の加工位置、捺印欄の印刷情報を帳票毎に変えることにより、捺印欄や、その捺印する紙片の枚数を、帳票毎に変えることができる。同様に、印刷内容（宛名等）を帳票毎に変えることができる。
【００４６】
（３）単位紙片毎に接着剤を塗布し、加工用紙Ｗを順次積層するので、１パスで、冊子状の帳票を製造できる。また、各帳票を形態、種類の異なるものに、つまりバリアブルに製造できる。さらに、積層順の間違え等の誤作業も抑制でき、品質を向上できる。
すなわち、実施形態とは異なりノーカーボン式の上用紙、中用紙、下用紙等を別工程で製造する場合には、これらの組み合わせ間違え等の誤作業が発生しやすい。さらに、この場合に、形態、種類の異なる帳票を製造すると、組み合わせがさらに複雑になり、誤作業がさらに発生しやすい。
実施形態では、単位紙片を加工順に積層すればよいので、このような誤作業を抑制できる。
【００４７】
なお、図２（Ｃ）に示した帳票２０−３は、加工システム５０ではなく、従来の帳合機を流用して製造できる。
【００４８】
（第２実施形態）
次に、本発明の第２実施形態について説明する。
第２実施形態は、帳票の層構成を、第１実施形態の帳票１０から変更したものである。
なお、第２実施形態以降の説明及び図面において、前述した第１実施形態と同様の機能を果たす部分には、同一の符号又は末尾（下２桁）に同一の符号を適宜付して、重複する説明を適宜省略する。
図６は、第２実施形態の帳票２１０−１，２１０−２，２１０−３の断面図（図１（Ｂ）に対応する図）である。
図６（Ａ）に示すように、帳票２１０−１の下紙片２１１−１、中紙片２１２−１、上紙片２１３−１は、通常は、それぞれ、ノーカーボン紙を利用した複写帳票のセルフ紙をとして利用されるものである。
つまり、各紙片２１１−１，２１２−１，２１３−１は、紙基材２１１ａ−１，２１２ａ−１，２１３ａ−１の上面全面にセルフ層２１１ｇ−１，２１２ｇ−１，２１３ｇ−１が積層されている。
【００４９】
セルフ層２１１ｇ−１，２１２ｇ−１，２１３ｇ−１は、発色剤及び顕色剤が塗布されて形成されている。このため、セルフ層２１１ｇ−１，２１２ｇ−１，２１３ｇ−１は、筆圧が加わることにより複写される。
下紙片２１１−１は、複写欄２１１ｄ−１、捺印欄２１１ｅ−１を備える。
中紙片２１２−１は、複写欄２１２ｄ−１、捺印欄２１２ｅ−１、孔部２１２ｆ−１を備える。
上紙片２１３−１は、情報記入欄２１３ｄ−１、捺印欄２１３ｅ−１、孔部２１３ｆ−１を備える。
【００５０】
図６（Ｂ）に示すように、帳票２１０−２の下紙片２１１−２、中紙片２１２−２、上紙片２１３−２は、通常は、それぞれ、ノーカーボン紙を利用した複写伝票のトップ紙（上用紙）として利用されるものである。
つまり、各紙片２１１−２，２１２−２，２１３−２は、紙基材２１１ａ−２，２１２ａ−２，２１３ａ−２の下面全面に発色剤層２１１ｂ−２，２１２ｂ−２，２１３ｂ−２が積層されている。
下紙片２１１−２は、複写欄２１１ｄ−２、捺印欄２１１ｅ−２を備える。また、複写欄２１１ｄ−２に対応した位置に、顕色剤層２１１ｃ−２が印刷により設けられている。
中紙片２１２−２は、複写欄２１２ｄ−２、捺印欄２１２ｅ−２、孔部２１２ｆ−２を備える。また、中紙片２１２−２の上面には、複写欄２１２ｄ−２に対応した位置に、顕色剤層２１２ｃ−２が印刷により設けられている。
上紙片２１３−２は、情報記入欄２１３ｄ−２、捺印欄２１３ｅ−２、孔部２１３ｆ−２を備える。
【００５１】
図６（Ｃ）に示すように、帳票２１０−３の下紙片２１１−３、中紙片２１２−３、上紙片２１３−３は、通常は、それぞれ、ノーカーボン紙を利用した複写伝票のボトム紙（下用紙）として利用されるものである。
つまり、各紙片２１１−３，２１２−３，２１３−３は、紙基材２１１ａ−３，２１２ａ−３，２１３ａ−３の上面全面に顕色剤層２１１ｃ−３，２１２ｃ−３，２１３ｃ−３が積層されている。
下紙片２１１−３は、複写欄２１１ｄ−３、捺印欄２１１ｅ−３を備える。
中紙片２１２−３は、複写欄２１２ｄ−３、捺印欄２１２ｅ−３、孔部２１２ｆ−３を備える。また、中紙片２１２−３の下面には、下紙片２１１−３の複写欄２１１ｄ−３に対応した位置に、発色剤層２１２ｂ−３が印刷により設けられている。
上紙片２１３−３は、情報記入欄２１３ｄ−３、捺印欄２１３ｅ−３、孔部２１３ｆ−３を備える。また、上紙片２１３−３の下面には、中紙片２１２−３の複写欄２１２ｄ−３に対応した位置に、発色剤層２１３ｂ−３が印刷により設けられている。
【００５２】
上記構成により、帳票２１０−１，２１０−２，２１０−３は、第１実施形態と同様に使用でき、第１実施形態と同様な効果を奏する。
【００５３】
帳票２１０−１，２１０−２，２１０−３は、第１実施形態と同様な加工システムを利用して、製造できる。
すなわち、帳票２１０−１を製造する場合には、加工用紙Ｗとして、複写帳票のセルフ紙の連続用紙を使用すればよい。
帳票２１０−２を製造する場合には、加工用紙Ｗとして、複写帳票のトップ紙を使用し、顕色剤層２１１ｃ−２，２１２ｃ−２を印刷するインクジェットプリンタを、加工システムに追加すればよい。この場合にも、顕色剤層を印刷する紙片を、マークによって制御すればよい。
同様に、帳票２１０−３を製造する場合には、加工用紙Ｗとして、複写帳票のボトム紙を使用し、発色剤層２１２ｂ−３，２１３ｂ−３を印刷するインクジェットプリンタを、加工システムに追加すればよい。この場合にも、発色剤層を印刷する紙片を、マークによって制御すればよい。
【００５４】
このように、帳票２１０−１，２１０−２，２１０−３の製造は、第１実施形態と同様な加工システムを利用でき、第１実施形態と同様な効果を奏する。
【００５５】
（第３実施形態）
次に、本発明の第３実施形態について説明する。
図７は、第３実施形態の帳票３１０を示す図（図１（Ａ）、図１（Ｂ）に対応する図）である。
帳票３１０の層構成は、第１実施形態と同様である。つまり、帳票３１０は、ノーカーボン紙を利用した複写伝票の中用紙（ミドル紙）が積層されて構成されている。
帳票３１０は、捺印欄の代わりに、暗証番号を記入する暗証番号記入欄３１２ｅ（欄部）を備える。
下紙片３１１は、暗証番号記入欄３１２ｅに対応した位置に、暗証番号記入欄３１２ｅに対応した大きさの孔部３１１ｆ（下孔部）を備える。
中紙片３１２は、暗証番号記入欄３１２ｅを備える。中紙片３１２には、孔部が設けられていない。
上用紙３１３は、暗証番号記入欄３１２ｅに対応した位置に、暗証番号記入欄３１２ｅに対応した大きさの孔部３１３ｆ（上孔部）を備える。
上記構成により、帳票３１０を上層側から見ると、暗証番号記入欄３１２ｅは、露出している。
【００５６】
帳票３１０の使用方法について説明する。
使用者は、第１実施形態と同様に、情報記入欄３１３ｄに、申し込み情報を記入する。申し込み情報は、下紙片３１１、中紙片３１２の複写欄３１１ｄ，３１２ｄに複写される。
暗証番号記入欄３１２ｅは、露出しているので、使用者は、帳票３１０を見開くことなく、所望の暗証番号を、筆記具３０５で記入できる。
下紙片３１１は、孔部３１１ｆを備えるので、暗証番号が複写されることはない。
【００５７】
このように、帳票３１０は、暗証番号記入欄３１２ｅが露出しているので、暗証番号の記入忘れを抑制する効果を向上できる。
なお、紙片を４枚以上積層する場合において、暗証番号を複数の紙片に記入したい場合には、記入が不要な紙片のみに、孔部３１１ｆと同様な孔部を設ければよい。これにより、孔部が設けられていない紙片には、暗証番号が複写され、一方、孔部が設けた紙片には、暗証番号が複写されないことになる。
これにより、帳票３１０は、減感インク等の用いることなく、紙片を選択して暗証番号を複写できる。
【００５８】
なお、本実施形態の暗証番号記入欄３１２ｅ、孔部３１１ｆ，３１３ｆの構成は、第２実施形態の各帳票に対しても適用できる。また、上記４枚以上積層する構成は、第２実施形態の帳票２１０−１に対しても適用できる。
【００５９】
帳票３１０は、第１実施形態と同様な加工システムを利用して、製造できる。
すなわち、帳票３１０を製造する場合には、孔部を設ける紙片を、マークによって制御すればよい。
これにより、帳票３１０の製造は、第１実施形態と同様な効果を奏する。
【００６０】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６１】
（変形形態）
【００６２】
実施形態において、マークの配列は、帳票の左右方向（加工システムの奥行方向）である例を示したが、これに限定されない。例えば、マークの配列は、帳票の縦方向（加工システムにおける加工用紙の送り方向）でもよい。この場合には、マークを種類毎に色分等して、マーク検出部が対応する色のマークを検出すればよい。この場合には、マークの配置の自由度を向上できる。
【符号の説明】
【００６３】
１０  帳票
１１  下紙片
１１ａ，１２ａ，１３ａ  紙基材
１１ｂ，１２ｂ，１３ｂ  発色剤層
１１ｃ，１２ｃ，１３ｃ  顕色剤層
１１ｅ，１２ｅ，１３ｅ  捺印欄
１２  中紙片
１２ｆ，１３ｆ  孔部
１３  上紙片
１３ｄ，２３ｄ，２３ｄ−２，２３ｄ−３  情報記入欄
２０，２０−２，２０−３  帳票
２１，２１−２，２１−３  下紙片
２１ａ，２１ａ−２，２１ａ−３，２２ａ−２，２２ａ−３，２３ａ，２３ａ−２，２３ａ−３  紙基材
２１ｂ，２１ｂ−２，２２ｂ−２，２２ｂ−３，２３ｂ，２３ｂ−２，２３ｂ−３  発色剤層
２１ｃ，２１ｃ−２，２１ｃ−３，２２ｃ−２，２２ｃ−３，２３ｃ，２３ｃ−２  顕色剤層
２１ｅ，２１ｅ−２，２１ｅ−３，２３ｅ，２３ｅ−２，２３ｅ−３  捺印欄
２１ｄ，２１ｄ−２，２１ｄ−３，２２ｄ−２，２２ｄ−３  複写欄
２２ｆ−２，２２ｆ−３，２３ｆ，２３ｆ−２，２３ｆ−３  孔部
２２−２，２２−３  中紙片
２３，２３−２，２３−３  上紙片
５０  加工システム
５３  レーザ加工装置
２１０−１，２１０−２，２１０−３  帳票
２１１−１，２１１−２，２１１−３  下紙片
２１１ａ−１，２１１ａ−２，２１１ａ−３，２１２ａ−１，２１２ａ−２，２１２ａ−３，２１３ａ−１，２１３ａ−２，２１３ａ−３  紙基材
２１１ｂ−２，２１２ｂ−２，２１２ｂ−３，２１３ｂ−２，２１３ｂ−３  発色剤層
２１１ｃ−２，２１１ｃ−３，２１２ｃ−２，２１２ｃ−３，２１３ｃ−３  顕色剤層
２１１ｅ−１，２１１ｅ−２，２１１ｅ−３，２１２ｅ−１，２１２ｅ−２，２１２ｅ−３，２１３ｅ−１，２１３ｅ−２，２１３ｅ−３  捺印欄
２１２−１，２１２−２，２１２−３  中紙片
２１２ｆ−１，２１２ｆ−２，２１２ｆ−３，２１３ｆ−１，２１３ｆ−２，２１３ｆ−３  孔部
２１３−１，２１３−２，２１３−３  上紙片
３１０  帳票
３１１  下紙片
３１１ａ，３１２ａ，３１３ａ  紙基材
３１１ｂ，３１２ｂ，３１３ｂ  発色剤層
３１１ｃ，３１２ｃ，３１３ｃ  顕色剤層
３１１ｆ，３１３ｆ  孔部
３１２  中紙片
３１２ｅ  暗証番号記入欄
３１２ｇ  剥離接着層
３１３  上紙片
【図１】
2014218045.tif 000003
【図２】
2014218045.tif 000004
【図３】
2014218045.tif 000005
【図４】
2014218045.tif 000006
【図５】
2014218045.tif 000007
【図６】
2014218045.tif 000008
【図７】
2014218045.tif 000009